(57)【要約】【課題】内部への浸水がさらに防止された構造体及びレンズ鏡筒を提供する。【解決手段】本発明の構造体１は、第１面１１Ｂを有する第１部材１１と、前記第１部材１１と対向する第２面１５Ｂを有し、前記第１部材１１に対して相対移動する第２部材１５と、を備え、前記第１面１１Ｂと前記第２面１５Ｂとの間の隙間の一方向側は筐体の内部空間と連通し、前記隙間の他方向側は外部空間と連通している構造体において、前記第１部材１１側から前記第２面１５Ｂ側に延在して設けられ、前記第１部材１１と前記第２部材１５とが相対移動する際に、前記第２面１５Ｂと接触した状態で前記第２面１５Ｂ上を滑る接触部を有する弾性部材２０と、前記第１面１１Ｂと前記第２面１５Ｂとの間の隙間の前記弾性遮蔽部材２０より前記内部空間側に配置された吸水性部材２５と、を備えること、を特徴とする。【選択図】図３
2015105960.tif 000002
【特許請求の範囲】
【請求項１】
第１面を有する第１部材と、前記第１部材と対向する第２面を有し、前記第１部材に対して相対移動する第２部材と、を備え、
前記第１面と前記第２面との間の隙間の一方向側は筐体の内部空間と連通し、
前記隙間の他方向側は外部空間と連通している構造体において、
前記第１部材側から前記第２面側に延在して設けられ、前記第１部材と前記第２部材とが相対移動する際に、前記第２面と接触した状態で前記第２面上を滑る接触部を有する弾性部材と、
前記第１面と前記第２面との間の隙間の前記弾性部材より前記内部空間側に配置された吸水性部材と、を備えること、を特徴とする構造体。
【請求項２】
請求項１に記載の構造体であって、
前記第１部材と前記第２部材とは筒状であり、
前記弾性部材は、前記第１面と前記第２面との間の隙間を遮蔽すること、
を特徴とする構造体。
【請求項３】
請求項１または請求項２に記載の構造体であって、
前記弾性部材と前記吸水部材は、前記第１部材に取り付けられていること、
を特徴とする構造体。
【請求項４】
請求項１から請求項３のいずれか１項に記載の構造体であって、
前記弾性部材は、前記第１面に取り付けられる取付部と、前記取付部から前記第２面に向かって延在する延在部と、を有していること、
を特徴とする構造体。
【請求項５】
請求項１から請求項４のいずれか１項に記載の構造体を備え、
前記第２部材は、レンズを保持していること、
を特徴とするレンズ鏡筒。 
【発明の詳細な説明】
【技術分野】
【０００１】
本発明は、構造体及びレンズ鏡筒に関するものである。
【背景技術】
【０００２】
従来、内筒と外筒との間の隙間を塞ぐようにして外筒に弾性遮蔽部材を取り付け、その内筒と外筒との間の隙間からレンズ鏡筒の内部への浸水を防止しているレンズ鏡筒やカメラがある（特許文献１参照）。
【先行技術文献】
【特許文献】
【０００３】
【特許文献１】特開２０００−１９３８７０号公報
【発明の概要】
【発明が解決しようとする課題】
【０００４】
本発明の課題は、内部への浸水がさらに防止された構造体及びレンズ鏡筒を提供することである。
【課題を解決するための手段】
【０００５】
本発明は、以下のような解決手段により前記課題を解決する。
請求項１に記載の発明は、第１面を有する第１部材と、前記第１部材と対向する第２面を有し、前記第１部材に対して相対移動する第２部材と、を備え、前記第１面と前記第２面との間の隙間の一方向側は筐体の内部空間と連通し、前記隙間の他方向側は外部空間と連通している構造体において、前記第１部材側から前記第２面側に延在して設けられ、前記第１部材と前記第２部材とが相対移動する際に、前記第２面と接触した状態で前記第２面上を滑る接触部を有する弾性部材と、前記第１面と前記第２面との間の隙間の前記弾性部材より前記内部空間側に配置された吸水性部材と、を備えること、を特徴とする構造体である。
請求項２に記載の発明は、請求項１に記載の構造体であって、前記第１部材と前記第２部材とは筒状であり、前記弾性部材は、前記第１面と前記第２面との間の隙間を遮蔽すること、を特徴とする構造体である。
請求項３に記載の発明は、請求項１または請求項２に記載の構造体であって、前記弾性部材と前記吸水部材は、前記第１部材に取り付けられていること、を特徴とする構造体である。
請求項４に記載の発明は、請求項１から請求項３のいずれか１項に記載の構造体であって、前記弾性部材は、前記第１面に取り付けられる取付部と、前記取付部から前記第２面に向かって延在する延在部と、を有していること、を特徴とする構造体である。
請求項５に記載の発明は、請求項１から請求項４のいずれか１項に記載の構造体を備え、前記第２部材は、レンズを保持していること、を特徴とするレンズ鏡筒である。
なお、上記構成は、適宜改良してもよく、また、少なくとも一部を他の構成物に代替してもよい。
【発明の効果】
【０００６】
本発明によれば、内部への浸水がさらに防止された構造体及びレンズ鏡筒を提供することができる。
【図面の簡単な説明】
【０００７】
【図１】本発明の一実施形態を適用したカメラの撮影待機状態における縦断面を概念的に示す図である。
【図２】レンズ鏡筒が沈胴状態にあるカメラの縦断面を概念的に示す図である。
【図３】固定筒の被写体側の端部付近の断面図である。
【発明を実施するための形態】
【０００８】
以下、図面等を参照して、本発明の実施形態について説明する。図１は、本発明の一実施形態を適用したカメラ１の撮影待機状態における縦断面を概念的に示す図である。図２は、レンズ鏡筒１０が沈胴状態（レンズ鏡筒１０がカメラ本体２に収納された状態、縮筒状態）にあるカメラ１の縦断面を概念的に示す図である。
【０００９】
なお、各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１０】
カメラ１は、カメラ本体２とレンズ鏡筒１０とから構成されたデジタルカメラである。
カメラ本体２は、筐体２Ａの内部に撮像素子３を備えている。
撮像素子３は、撮像面がレンズ鏡筒１０の光軸ＯＡと直交する姿勢で、撮像素子台４に固定されている。
撮像素子３は、レンズ鏡筒１０によって撮像面に結像された画像を電気信号に変換して出力する。
【００１１】
レンズ鏡筒１０は、不使用時にはカメラ本体２に収納され、使用時にはカメラ本体２から突出すると共に焦点距離を変化（ズーミング）させることのできる、いわゆる沈胴式のズームレンズである。
つまり、レンズ鏡筒１０は、電力供給が停止している非影状態においては図２に示すようにカメラ本体２の内部に収容され、電力が供給されると図１に示すようにカメラ本体２の前面側に突出して撮影待機状態となる。
【００１２】
レンズ鏡筒１０は、当該カメラ１における結像光学系を構成する２組のレンズ群（第１レンズ群Ｌ１及び第２レンズ群Ｌ２）を備えている。
これら２組のレンズ群は、被写体像を撮像素子３の撮像面に結像させる。レンズ鏡筒１０は、レンズ群Ｌ１，Ｌ２がそれぞれ光軸ＯＡ方向に移動することにより、焦点距離が変化し、また、フォーカシングが行われる。
【００１３】
そして、カメラ１は、レンズ鏡筒１０が備えるレンズ群（第１レンズ群Ｌ１，第２レンズ群Ｌ２）が被写体像光を撮像素子の受光面に結像させ、撮影者による図示しないレリーズボタンの押圧操作によって、撮像素子３が電気信号に変換した被写体の画像情報を、図示しない記憶装置に記録（撮影）する。これら撮影を含むカメラ１における全ての動作制御は、図示しないカメラ１内の制御装置によって行われる。
【００１４】
つぎに、レンズ鏡筒１０について詳細に説明する。
図１及び２に示すように、レンズ鏡筒１０は、筐体２Ａ内に位置する固定筒１１と、その固定筒１１の内部に配置された１群移動筒１５、２群移動筒１７を備え、固定筒１１、１群移動筒１５及び２群移動筒１７は、順次Ｙ軸方向に小径化して多段式に配置されている。
１群移動筒１５は、前面側に１群レンズ群Ｌ１を保持する第１レンズ室１６を備えている。１群移動筒１５の内周側には、２群移動筒１７が挿入されている。２群移動筒１７の内周側には、内周に第２レンズ群Ｌ２を保持する第２レンズ室１８が配置されている。
【００１５】
以下、レンズ鏡筒１０における各構成要素を、順を追って説明する。
固定筒１１は、その内周面に、１群移動筒１５を移動駆動する回転筒駆動ヘリコイド溝１１Ａを備えている。
【００１６】
１群移動筒１５は、固定筒１１の内周に摺動移動可能に嵌合している。
１群移動筒１５の外周には、固定筒１１の回転筒駆動ヘリコイド溝１１Ａに摺動移動可能に嵌合する駆動ピン１２Ａが突設されている。
１群移動筒１５には、図示しない沈胴・ズーム駆動モータが連繋している。これにより、１群移動筒１５は、沈胴・ズーム駆動モータによって回転駆動されるようになっている。
【００１７】
２群移動筒１７は、１群移動筒１５の内周に摺動移動可能に嵌合している。
２群移動筒１７の背面側端部近傍の外周には、フォロアピン１７Ａが突設されている。フォロアピン１７Ａは、１群移動筒１５のカム溝１５Ａに摺動可能に嵌合している。
【００１８】
上記のような構成によって、レンズ鏡筒１０は、図１に示すように固定筒１１から１群移動筒１５及び２群移動筒１７が所定量突出した撮影待機状態と、図２に示すように１群移動筒１５及び２群移動筒１７がほとんど固定筒１１に収容された沈胴状態と、の間で収縮／伸長する。
【００１９】
図３は固定筒１１の被写体側の端部付近の断面図である。
図示するように、固定筒１１の内面１１Ｂの被写体側には、第１弾性円環部材２０が取り付けられている。第１弾性円環部材２０は、円環状であって、断面が矩形の取付部２１と、その取付部２１から内径側に延び且つ取付部２１よりも肉薄の遮蔽部２２とを備える。本実施形態では、取付部２１と遮蔽部２２とは一体的に形成されている。
【００２０】
第１弾性円環部材２０の取付部２１は、固定筒１１の内面１１Ｂに貼着されている。取付部２１から延びる遮蔽部２２は、１群移動筒１５の外面１５Ｂ側に延びている。遮蔽部２２の内径は、１群移動筒１５の外径よりも小さいので、遮蔽部２２は湾曲して、１群移動筒１５側の部分が１群移動筒１５の外周面１５Ｂ（固定筒１１の内面１１Ｂと対向する面）に接触する。この場合には、遮蔽部２２は、固定筒１１の内面１１Ｂと１群移動筒１５の外周面１５Ｂとの間の隙間を遮蔽した状態となる。
そして、固定筒１１における第1弾性円環部材２０が取り付けられている部分よりも被写体側には、第１吸水性部材２５が配置されている。
換言すると、第１吸収性部材２５が配置されている場所は、第1弾性円環部材２０が取り付けられている部分よりカメラ１の筐体の内部空間２Ｅに向かう方向であり、また外部空間２Ｆから雨水等の水分が進入する下流側である。
第１吸水性部材２５は、例えば、スポンジや綿等の円環形状の部材であり、固定筒１１の内面１１Ｂに貼着されている。そして、吸水性部材２５は固定筒１１の内面１１Ｂと１群移動筒１５の外面１５Ｂとの間を、隙間が生じないように配置されている。
【００２１】
また、筐体２Ａは被写体側に開口部２Ｂを備える（図１及び図２参照）。次に、開口部２Ｂに設けられている第２弾性円環部材３０及び第２吸収性部材３５について説明するが、形状は第１弾性円環部材２０及び第１吸収性部材２５と同様であるので、図３を用いて説明する。図３中括弧の中の符号が第２弾性円環部材３０及び第２吸収性部材３５の説明において用いる符号である。
【００２２】
筐体２Ａの開口部２Ｂの端部からは、筐体２Ａと一体に形成されて筐体２Ａの内側に延びる円筒部２Ｃが形成されている。
その円筒部２Ｃの内側に固定筒１１が挿入され、固定筒１１は開口部２Ｂの被写体側にわずかに突き出ている。
円筒部２Ｃの内面２Ｄには、第２弾性円環部材３０が取り付けられている。第２弾性円環部材３０は、第１弾性円環部材２０と同様の形状であって、取付部３１と遮蔽部３２とを備える。
また、円筒部２Ｃにおける第２弾性円環部材３０が取り付けられている部分よりも被写体側（カメラ１の内部空間２Ｅに向かう方向，外部空間２Ｆからの流体が進入する下流側）には、第２吸水性部材３５が配置されている。第２吸水性部材３５は、第１吸水性部材２５と同様の形状であるので詳細な説明は省略する。
【００２３】
第１弾性円環部材２０と第２弾性円環部材３０の被写体側（Ｚプラス側）には飾り環４０が取り付けられている。
飾り環４０は、被写体側に向かって小径になった円環部材である。大径側の端部はカメラ筐体２Ａに接着され、第２弾性円環部材３０の取付部３１、遮蔽部３２、第１弾性円環部材２０の取付部２１の被写体側を覆っている。
【００２４】
本実施形態において、固定筒１１に対して１群移動筒１５が移動（沈胴状態から撮影待機状態への移動、又は、撮影待機状態から沈胴状態への移動）する際、遮蔽部２２が、１群移動筒１５の外面と接した状態で、その外面上を移動する。この際、遮蔽部２２が設けられているため、雨や高湿度での使用時においても、水分が固定筒１１と１群移動筒１５との間の隙間に浸入することがない。
また、遮蔽部２２によって水分だけでなく塵埃の固定筒１１と１群移動筒１５との間の隙間への浸入も防止される。
さらに、第１吸水性部材２５が設けられているため、多量の水分が存在して仮に水分が、遮蔽部２２を超えた場合であっても、第１吸水性部材２５により吸収されるので、水分が本体内に入り込むことがない。
【００２５】
さらに、遮蔽部３２が設けられているため、筐体２Ａと固定筒１１との隙間からも水分や塵埃が浸入することがない。そして、第２吸水性部材３５が設けられているため、多量の水分が存在して仮に水分が、遮蔽部３２を超えた場合であっても、第２吸水性部材３５により吸収されるので、水分が本体内に入り込むことがない。
【００２６】
本実施形態によると、飾り環４０が取り付けられているので、固定筒１１と１群移動筒１５との間の隙間及び固定筒１１と１群移動筒１５との間の隙間との間の隙間への水や塵埃の進入が防止される。また、飾り環４０が設けられているため、第１弾性円環部材２０、第２弾性円環部材３０の外側（被写体側、外側）がカバーされ、カメラ１としての概観が損なわれない。
【００２７】
（変形形態）
以上、説明した実施形態に限定されることなく、以下に示すような種々の変形や変更が可能であり、それらも本発明の範囲内である。
（１）本実施形態は、本発明をデジタルカメラに適用したものであるが、本発明はデジタルカメラに限定されるものではなく、フィルムを用いるいわゆる銀塩カメラにも適用可能である。
（２）また、本実施形態は、本発明をボディとレンズ鏡筒とが一体化したカメラに適用したものであるが、本発明は、ボディ部に対して着脱可能なレンズ鏡筒単体に適用することも可能なものである。
なお、実施形態及び変形形態は、適宜組み合わせて用いることもできるが、詳細な説明は省略する。また、本発明は以上説明した実施形態によって限定されることはない。
【符号の説明】
【００２８】
１：カメラ、２：カメラ本体、２Ａ：筐体、２Ｂ：開口部、２Ｃ：円筒部、２Ｄ：内面、１０：レンズ鏡筒、１１：固定筒、１１Ｂ：内面、１１Ｂ：第１面、１５：１群移動筒、１５Ｂ：第２面、１６：第１レンズ室、１７：２群移動筒、１８：第２レンズ室、２０：弾性円環部材、２０：第１弾性円環部材、２２：弾性遮蔽部材、２５：第１吸水性部材、３０：第２弾性円環部材、３１：取付部、３２：遮蔽部、３５：第２吸水性部材、４０：飾り環 
【図１】
2015105960.tif 000003
【図２】
2015105960.tif 000004
【図３】
2015105960.tif 000005